(57)【要約】      （修正有）【課題】立体的な米俵形状に形成可能な粘土型で、また粘土型自体の形状を動物などを模した形に形成することにより、年少者の興味を強く引くことができる粘土型を提供することを課題とする。【解決手段】上蓋１２と本体部２０で粘土の形を形成する粘土型１０であって、上蓋１２における本体部との対向面には、少なくとも１以上の上蓋凹陥部が設けられ、前記上蓋凹陥部の表面には米粒形状に設けられた複数の凹部と、前記上蓋凹陥部の縁に余分な粘土を取り除く為に設けられた鋭角な凸形状の凸部が形成され、前記本体部における上蓋との対向面には、上蓋凹陥部の対向位置に本体凹陥部が設けられ、前記本体凹陥部の表面には米粒形状に設けられた複数の凹部と、前記本体凹陥部の縁に余分な粘土を取り除く為に設けられた鋭角な凸形状の凸部と、前記本体凹陥部の底面中央に粘土と凹陥部との間の空気を抜く為に設けられた空気孔とを備えた。【選択図】図１
0003106851.tif 000002
【実用新案登録請求の範囲】
【請求項１】
上蓋と本体部で粘土の形を形成する粘土型であって、前記上蓋における本体部との対向面には、少なくとも１以上の上蓋凹陥部が設けられ、前記上蓋凹陥部の表面には米粒形状に設けられた複数の凹部と、前記上蓋凹陥部の縁に余分な粘土を取り除く為に設けられた鋭角な凸形状の凸部が形成され、前記本体部における上蓋との対向面には、上蓋凹陥部の対向位置に本体凹陥部が設けられ、前記本体凹陥部の表面には米粒形状に設けられた複数の凹部と、前記本体凹陥部の縁に余分な粘土を取り除く為に設けられた鋭角な凸形状の凸部と、前記本体凹陥部の底面中央に粘土と凹陥部との間の空気を抜く為に設けられた空気孔とが形成され、前記上蓋凹陥部及び本体凹陥部に粘土を充填し本体部に上蓋で蓋とすることにより、該両凹陥部内の粘土が俵状に形成されると共に、該粘土表面に米粒の模様を形成することを特徴とした粘土型。
【請求項２】
請求項１において、前記上蓋は、装飾可能な上蓋外装と、上蓋凹陥部が設けられた上蓋内板で構成されたことを特徴とした粘土型。
【請求項３】
請求項１又は２において、前記本体部の上蓋対向面の周縁に装飾可能な周縁装飾部を設けて構成したことを特徴とした粘土型。
【請求項４】
請求項１乃至３のいずれかにおいて、前記上蓋と本体部を合わせた粘土型は、動物を模した形象体として形成されていることを特徴とした粘土型。
【請求項５】
請求項１乃至４のいずれかにおいて、前記形象体は、魚の形状を模した形とされていることを特徴とした粘土型。
【請求項６】
請求項１乃至５のいずれかにおいて、前記粘土型は、樹脂素材で形成されることを特徴とした粘土型。
【考案の詳細な説明】
【技術分野】
【０００１】
本考案は、粘土の形を形成する粘土型に関するものである。
【背景技術】
【０００２】
従来、特開２０００−３０８７６６号公報「粘土細工用抜き型」があり、粘土を最深部位や狭小部位まで容易かつ確実に押し込み充填することができる粘土細工用抜き型があった。
【０００３】
しかしながら、粘土型自体の形状に特徴がなく、遊技者が年少者の場合には、粘土型自体が興味を引く形状には設けられていないものであった。そこで、粘土型自体を年少者が、興味を引く粘土型が求められていた。
【特許文献１】特開２０００−３０８７６６号公報
【考案の開示】
【考案が解決しようとする課題】
【０００４】
そこで、本考案は、上記従来技術の問題点に斯かる実情に鑑みなされたもので、立体的な米俵形状に形成可能な粘土型で、また粘土型自体の形状を動物などを模した形に形成することにより、年少者の興味を強く引くことができる粘土型を提供することを課題とする。
【課題を解決するための手段】
【０００５】
本考案は、上蓋と本体部でと粘土の形を形成する粘土型であって、前記上蓋における本体部との対向面には、少なくとも１以上の上蓋凹陥部が設けられ、前記上蓋凹陥部の表面には米粒形状に設けられた複数の凹部と、前記上蓋凹陥部の縁に余分な粘土を取り除く為に設けられた鋭角な凸形状の凸部が形成され、前記本体部における上蓋との対向面には、上蓋凹陥部の対向位置に本体凹陥部が設けられ、前記本体凹陥部の表面には米粒形状に設けられた複数の凹部と、前記本体凹陥部の縁に余分な粘土を取り除く為に設けられた鋭角な凸形状の凸部と、前記本体凹陥部の底面中央に粘土と凹陥部との間の空気を抜く為に設けられた空気孔とが形成され、前記上蓋凹陥部及び本体凹陥部にそれぞれ粘土を充填し本体部に上蓋で蓋とすることにより、該両凹陥部の粘土が接合し俵状に形成されると共に、該粘土表面に米粒の模様を形成することを特徴とする。
【０００６】
本考案は、請求項１において、前記上蓋は、装飾可能な上蓋外装を、上蓋凹陥部が設けられた上蓋内板で構成されたことを特徴とする。
【０００７】
本考案は、請求項１又は２において、前記本体部の上蓋対向面の周縁に装飾可能な周縁装飾部を設けて構成したことを特徴とする。
【０００８】
本考案は、請求項１乃至３のいずれかにおいて、前記上蓋と本体部を合わせた粘土型は、動物を模した形象体として形成されていることを特徴とする。
【０００９】
本考案は、請求項１乃至４のいずれかにおいて、前記形象体としては、魚の形状を模したことを特徴とする。
【００１０】
本考案は、請求項１乃至５のいずれかにおいて、前記粘土型は、樹脂素材で形成されることを特徴とする。
【考案の効果】
【００１１】
請求項１の考案によれば、粘土を上蓋凹陥部と本体凹陥部に充填し、本体部を上蓋で蓋をすることによって両凹陥部に充填された粘土は接合し立体的な俵形状にできると共に、その表面に米粒の模様が形成され、お寿司の舎利状の粘土を生成することができる。
【００１２】
請求項２の考案によれば、該上蓋は、装飾可能な上蓋外装と凹陥部が設けられた上蓋内板とで構成し、上蓋外装に様々な装飾を施すことが可能で有ると共に、上蓋外装と上蓋内板との間に空間を設けることによって、該上蓋を軽くして粘土型を軽量化することができる。
【００１３】
請求項３の考案によれば、本体部の上蓋対向面の周縁を装飾可能な周縁装飾部を設けることによって、該周縁装飾部に様々な装飾を施すことができ、年少者が粘土型に対して強く興味を引くようにすることができる。
【００１４】
請求項４の考案によれば、粘土型の上蓋外装と、本体部の周縁装飾部の装飾を統一し、動物を模した形象体で形成することによって、年少者が粘土型に対して強く興味を引くことようにすることができる。
【００１５】
請求項５の考案によれば、粘土型を魚を模した形状に形成することによって、寿司の鮮魚のイメージを年少者に与えることができ、形成される粘土に適した形状であり、年少者に対して、強く興味を引くようにすることができる。
【００１６】
請求項６の考案によれば、粘土型を樹脂素材で形成することによって、粘土型自体を軽く生成することができ、使用者が年少者の場合でも、容易に持つことができる
【考案を実施するための最良の形態】
【００１７】
上蓋と本体部とを合わせ型として内部に粘土の形を形成する凹陥部を有する粘土型であって、前記上蓋における本体部との対向面には、少なくとも１以上の上蓋凹陥部が設けられ、前記上蓋凹陥部の表面には米粒形状に設けられた複数の凹部と、前記上蓋凹陥部の縁に余分な粘土を取り除く為に設けられた鋭角な凸形状の凸部が形成され、前記本体部における上蓋との対向面には、上蓋凹陥部の対向位置に本体凹陥部が設けられ、前記本体凹陥部の表面には米粒形状に設けられた複数の凹部と、前記本体凹陥部の縁に余分な粘土を取り除く為に設けられた鋭角な凸形状の凸部と、前記本体凹陥部の底面中央に粘土と凹陥部との間の空気を抜く為に設けられた空気孔とを形成した。また、前記上蓋は、装飾可能な上蓋外装と、上蓋凹陥部が設けられた上蓋内板で構成し、そして、前記本体部の上蓋対向面の周縁に装飾可能な周縁装飾部を設けて構成し、前記粘土型は、樹脂素材で形成される。また、前記粘土型は、前記上蓋と本体部を合わせた粘土型は、動物を模した形象体として形成され、前記形象体は、魚の形状を模した。
【実施例１】
【００１８】
図１及び２を用いて、粘土型１０の説明を行う。図１の本考案の一実施例である粘土型１０の外形を示す図である。図２の本考案の一実施例である粘土型１０の中央切断した斜視断面図である。
【００１９】
図１の粘土型１０の外形は、本体部２０と上蓋１２を合わせた状態である。本体部２０と上蓋１２を合わせた状態の外形は、魚を模した形状に形成されている。具体的には、本体部２０は、魚の外形となる魚のひれ、魚の尾を模して形成し、また上蓋１２は、魚の目、口、エラなどを上蓋１２上面に凹凸を設けて形成している。実施の例では、魚を模した形状に形成されているが、この他に、キャラクター、動物、ロボット、人、空想上キャラクターなどを模して形成しても構わない。このように、粘土型の外形を形象体に模して形成することにより、使用する年少者などに強く興味を持たせる事ができる粘土型である。また、実施の例で形成される粘土の形に関連のある形象体にするのが望ましい。実施の例では、寿司の舎利形状の粘土の形を形成可能に設けてあるため、寿司ネタとなる魚を模して形成した。
【００２０】
また、粘土型１０の材質は、樹脂製プラスチックとされ、重量を軽く且つ粘土型１０としての強度を十分に備えている。樹脂製プラスチックで形成されていることから、粘土３０を形成した後などの粘土型１０の洗浄が容易に行うことができ、常に清潔に使用することが可能となっている。また、該材質は、木工素材や、金属素材であってもよい。
【００２１】
図２を用いて粘土型１０の内部構造の説明を行う。上蓋１２は、上蓋上面に装飾可能な上蓋外装１２ａと上蓋凹陥部１４が設けられた上蓋内板１２ｂで形成され、上蓋外装１２ａと上蓋内板１２ｂとの間には、空間が設けられて軽量化を図っている。上蓋外装１２ａと上蓋内板１２ｂを合わせた上蓋１２の形状は、楕円形状に形成されている。上蓋外装１２ａには、凹凸で、魚の目、口、エラなどが表されている。上蓋内板１２ｂには、単体部２０と係合する楕円状の凸部が設けられている。また、上蓋内板１２ｂの本体部２０との対向面に２つ上蓋凹陥部１４が、上蓋長手方向に並べて設けられている。該上蓋凹陥部１４の形状は、角丸四角形状の凹部となっており、該上蓋凹陥部１４表面には、米粒状の凹部１６が設けられている。また、該上蓋凹陥部１４の縁には、鋭角な凸部１８が設けられ、上蓋１２と本体部２０を係合した際に、本体部の凸部２６とで不要な粘土３０を切断する働きをするように設けられている。
【００２２】
本体部２０上面には、上蓋１２の凹陥部１４が設けられ面に対向する上蓋対向面に楕円状の凹部が設けられ、該凹部の長手方向に本体凹陥部２２が２つ並べて設けられている。また、上蓋対向面の周縁（本体部２０の外周）は、周縁装飾部２０ａであり、実施の例では、魚のひれ、魚の尾を設け魚の形状に形成されている。該本体凹陥部２２の形状は、上蓋凹陥部１４の形状と同様で、角丸四角形状の凹部となっており、該本体凹陥部２２の表面にも上蓋凹陥部１４と同様に、米粒状の凹部２４が設けられている。まら、本体凹陥部２２の縁には、鋭角な凸部２６が設けられ、上蓋１２と本体部２０を係合した際に、本体凹陥部２２や上蓋凹陥部１２から、露出した場合に、不要な粘土３０を切断するようになっている。さらに、本体凹陥部２２の底面には、空気孔２８が設けられ、上蓋１２と本体部２０が係合した際に、両凹陥部内に残った空気が排出されようになっており、気泡などが粘土３０に残らないように設けられている。
【００２３】
図３を用いて粘土型を使用した例について説明する。上述の上蓋凹陥部１４又は、本体凹陥部２２に粘土３０を充填し、上蓋１２と本体部２０を係合させると、両凹陥部の内の空気が排出され、両凹陥部から露出した粘土３０が、両凹陥部の縁の凸部１８・２６によって切断されるようになっており、再び、上蓋１２を外すと、両凹陥部によって、粘土３０が立体的に俵状で、その表面に米粒の模様が形成された粘土３０を形成することができる。
【００２４】
また粘土型１０に使用する粘土の説明を行う。粘土３０は紙、石粉、木粉、油脂、樹脂系など、主成分によっていろいろな種類がある。具体的には、主に、紙粘土、石粉粘土、木粉粘土、油粘土、樹脂系粘土、小麦粘土、土を捏ねる作る粘土などがある。これらのさまざまな種類の粘土を粘土型１０に使用できる。実施の例では、小麦粉、水、塩、油で作ることが可能な小麦粘土を使用し幼児が誤って口に入れた場合においても、安全な粘土を使用している。
【００２５】
また、粘土３０自体に、食品の臭いや、食品の味を付加することも可能である。実施の例では、粘土３０に食品の臭いをつけて生成し、また、粘土を辛い味付けにしておき、幼児が誤って口に入れた場合においても、すぐに吐き出すようにした粘土３０を使用している。
【００２６】
また、粘土３０以外にも、実際の米を凹陥部に充填し、上蓋１２と本体部２０を係合させることによって、俵状の舎利を形成することも可能であり、寿司の舎利を作るにも適している。
【００２７】
粘土型１０を利用した遊び方の説明を行う。形成された俵状で表面に米粒の模様が形成された粘土３０は、ちょうど寿司の舎利を模した形に形成され、該舎利を模した粘土の上に、刺身や、エビ、卵などを寿司ネタの形に模した粘土をのせることによって、寿司状の粘土を形成することができ、年少者の「おままごと」遊びの際に使用することが出来る。また、クレイアートとして利用することも可能であると共に、食品サンプルなどへの利用も可能である。
【００２８】
この以上説明したように構成することにより、立体的な米俵形状に形成可能な粘土型で、また粘土型自体の形状を動物などを模した形に形成することにより、年少者の興味を強く引くことができる粘土型を提供することができる。また、好ましい実施例を挙げて本考案を説明したが、本考案はその実施例に限定されるものではなく、実用新案登録請求の範囲に記載した技術的範囲内で種々に改変できる。
【図面の簡単な説明】
【００２９】
【図１】本考案の一実施例である粘土型の外形を示す図である。
【図２】本考案の一実施例である粘土型の中央切断した斜視断面図である。
【図３】本考案の一実施例である粘土型の使用例を示した図である。
【符号の説明】
【００３０】
１０    粘土型
１２    上蓋
１２ａ  上蓋外装
１２ｂ  上蓋内板
１４    上蓋凹陥部
１６    凹部
１８    凸部
２０    本体部
２０ａ  周縁装飾部
２２    本体凹陥部
２４    凹部
２６    凸部
２８    空気孔
３０    粘土
【図１】
0003106851.tif 000003
【図２】
0003106851.tif 000004
【図３】
0003106851.tif 000005